(57)【要約】【課題】履き口部を有する衣類において、前記履き口部の窮屈感を低減することができると共に、外観にひびかないようにでき、かつ、前記衣類の着用時におけるずり下がりも効果的に防止して心地よい着用感を得る。【解決手段】シングルニットからなる端末編組織を有する履き口部と、前記履き口部に連続するずり下がり防止部を備え、前記ずり下がり防止部は、弾性糸を用いて編成された（Ａ）コース群と、前記弾性糸に非弾性糸を添えた編み糸で編成された（Ｂ）コース群を交互に設けている。【選択図】図１
2008038262.tif 000002
【特許請求の範囲】
【請求項１】
シングルニットからなる端末編組織を有する履き口部と、
前記履き口部に連続するずり下がり防止部を備え、
前記ずり下がり防止部は、弾性糸を用いて編成された（Ａ）コース群と、前記弾性糸に非弾性糸を添えた編み糸で編成された（Ｂ）コース群を交互に設けていることを特徴とする衣類。
【請求項２】
前記履き口部が、編み始めの止め編み領域と該止め編み領域に連続するウエルト編み領域とを備えるシングルウエルト、あるいはダブルウエルトである請求項１に記載の衣類。
【請求項３】
前記ずり下がり防止部は、前記（Ａ）コース群と前記（Ｂ）コース群を交互に設けてボーダー柄としている請求項１または請求項２に記載の衣類。
【請求項４】
ウエール方向に連続するコース数は前記（Ａ）コース群および（Ｂ）コース群とを同一として、前記連続するコース数は４〜６４コースとしている請求項１乃至請求項３のいずれか１項に記載の衣類。
【請求項５】
ウエール方向に連続するコース数は前記（Ａ）コース群と（Ｂ）コース群とで相違させ、前記（Ａ）コース群の連続コース数は１〜５００コースとし、（Ｂ）コース群の連続コース数は１〜６４コースとしている請求項１乃至請求項３のいずれか１項に記載の衣類。
【請求項６】
前記弾性糸としてシングルカバリングヤーンまたはシングルカバリングヤーンとダブルカバリングヤーンを交編で用いると共に、前記非弾性糸としてウーリーナイロンを用い、前記ずり下がり防止部の各コースはプレーン編みで編成されている請求項１乃至請求項５のいずれか１項に記載の衣類。
【請求項７】
前記履き口部の止め編み領域は、弾性糸に添え糸を添えた編み糸から編成するコースと、非弾性糸に前記添え糸を添えた編み糸から編成するコースを交互に設けた複数のコースとし、前記非弾性糸に前記添え糸を添えた編み糸から編成する２コース目以降の１コース以上をニットのみで編成し、他のコースは１ウエールニットと1ウエールミスを繰り返して編成する一方、
前記止め編み領域に連続するウエルト編み領域では、前記弾性糸を用いて１ウエールニットと1ウエールミスまたは１ウエールニットと1ウエールタックを繰り返して編成するコースと、前記非弾性糸を用いてニットのみで編成するコースを交互に設けている請求項２乃至請求項６のいずれか１項に記載の衣類。
【請求項８】
前記履き口部の止め編み領域の複数のコースは全てのウエールをタックあるいはミスでニットさせずに編成し、かつ、該止め編み領域では太い弾性芯糸を備えたシングルカバリングヤーンからなる第１種編み糸を用いて編成し、該第１種編み糸で止め編み領域に外側へのカールを発生させない編成としている一方、
前記止め編み領域に連続するウエルト編み領域では、前記第１種編み糸で編成したコースと、前記第１種編み糸より伸縮力がない編み糸を用いて編成したコースを組み合わせた編組織としている請求項２乃至請求項６のいずれか1項に記載の衣類。
【請求項９】
前記止め編み領域は５〜９コースとし、各コースは１ウエールタック、２ウエールミスまたは１ウエールタック、３ウエールミスを繰り返して編成する一方、
前記ウエルト編み領域は、１ウエールタックと１〜３ウエールミスを繰り返すコースと、ニットのみからなるコースとからなり、該ニットのみからなるコースを２〜３コース連続した後に前記タックとミスとのコースを１コース介在させて編成し、前記ニットのみからなるコースは、前記第１種編み糸の弾性芯糸より細い弾性芯糸を備えたシングルカバリングヤーンあるいは／およびそれより伸縮力の低い編み糸からなる、第２種編み糸を用いて編成している請求項８に記載の衣類。
【請求項１０】
パンティストッキング、タイツ、ショーツ、パンツ、ガードル、ストッキング、スパッツ、ソックスである請求項１乃至請求項９のいずれか1項に記載の衣類。
【発明の詳細な説明】
【技術分野】
【０００１】
本発明は衣類に関するものであり、特に、履き口部を有するボトム下着等の衣類において、履き口部を、薄地でかつ締め付け力が低い端末編組織で編成することにより、履き口部の窮屈感を低減すると共に、外観にひびかないようにでき、前記衣類着用時におけるずり下がりも効果的に防止して心地よい着用感を得ることができるものである。
【背景技術】
【０００２】
パンティストッキングやパンツ等の履き口端末のウエルト部分は、その圧迫感や厚さ、硬さによって窮屈感を感じる場合が多い。また、その厚さが大で身頃地との間に段差が発生するとアウターを通して外観上現出する、いわゆる“ひびく”現象も発生しやすい。
そこで、本出願人は、特開２００４−１２４２９１号公報において、シングルニットからなるシングルウエルトの端末編組織を備えた衣類を提案している。
【０００３】
前記端末編組織は、履き口部の窮屈感やひびくといった問題は解消することができるが、前記端末編組織を履き口部としたボトム下着等の衣類の場合、前記履き口部の締め付け力がソフトであるがゆえに、該衣類着用時にずり下がりが生じてしまうという問題があり、この点についてはさらに改良の余地が残されている。
【０００４】
【特許文献１】特開２００４−１２４２９１号公報
【発明の開示】
【発明が解決しようとする課題】
【０００５】
本発明は前記問題に鑑みてなされたものであり、履き口部を有する衣類において、前記履き口部の窮屈感を低減することができると共に、外観にひびかないようにでき、かつ、前記衣類の着用時におけるずり下がりも効果的に防止して心地よい着用感を得ることができる衣類を提供することを課題としている。
【課題を解決するための手段】
【０００６】
前記課題を解決するため、本発明は、シングルニットからなる端末編組織を有する履き口部と、
前記履き口部に連続するずり下がり防止部を備え、
前記ずり下がり防止部は、弾性糸を用いて編成された（Ａ）コース群と、前記弾性糸に非弾性糸を添えた編み糸で編成された（Ｂ）コース群を交互に設けていることを特徴とする衣類を提供している。
【０００７】
前記のように、本発明の衣類は、シングルニットからなる端末編組織を有する履き口部を備えているので、履き口部を薄地かつ低い締め付け力としやすく、窮屈感を低減し外観にひびかないようにすることができる。
また、前記のように、弾性糸を用いて編成された（Ａ）コース群と、前記弾性糸に非弾性糸を添えた編み糸で編成された（Ｂ）コース群を交互に設けたずり下がり防止部を前記履き口部に連続して設ける構成としている。よって、弾性糸を用いて編成することによりずり下がり防止部全体のフィット性を向上させることができると共に、非弾性糸を弾性糸に添えた編み糸で編成された（Ｂ）コース群を、弾性糸を用いて編成された（Ａ）コース群との間に介在させることにより、ずり下がり要因となる上下縦方向の伸縮性を、添え糸である非弾性糸によって適度に抑制して、衣類のずり下がりを効果的に防止することができる。
【０００８】
なお、ずり下がり防止機能を有したパンティ部の締め付け力を前記履き口部のウエルト編み領域の締め付け力より大としていることが好ましい。これにより、端末部分の肌触りをよりソフトにでき、端末部分が身体に食い込んで着用感を悪化させることもない。
【０００９】
また、前記履き口部は、編み始めの止め編み領域と該止め編み領域に連続するウエルト編み領域とを備えるシングルウエルトとしてもよいし、ウエルト部分の編地を折り返して袋状としたダブルウエルトとしてもよい。
履き口部を前記ダブルウエルトとする場合には、履き口部の非伸長時における上下縦方向の長さを０．５〜１．０ｃｍ程度の細幅として、締め付け力を弱めたものであることがより好ましい。
【００１０】
また、前記ずり下がり防止部は、前記（Ａ）コース群と前記（Ｂ）コース群を交互に設けてボーダー柄としていることが好ましい。即ち、前記（Ａ）コース群、（Ｂ）コース群のどちらかを濃染しボーダー柄を明確にすることにより、ずり下がり防止効果に加えてデザイン性も同時に付与することができる。
【００１１】
ウエール方向に連続するコース数を前記（Ａ）コース群および（Ｂ）コース群とで同一として均一幅を有するボーダー柄としてもよく、また、ウエール方向に連続するコース数を（Ａ）コース群と（Ｂ）コース群とで相違させて不均一幅を有するボーダー柄としてもよい。
ウエール方向に連続するコース数を前記（Ａ）コース群と（Ｂ）コース群とで同一とした場合、伸縮性が高くフィット性に優れた領域［（Ａ）コース群］と、上下縦方向の伸縮性を抑制して締め付け力をさらに高め、ずり下がり防止効果を高めた領域［（Ｂ）コース群］を均等に持ち合わせたずり下がり防止部とすることができる。よって、ずり下がり防止部のいずれの位置においても身体の動きに合わせた適度なフィット性とずり下がり防止効果を持たせることができ、また、ボーダー柄の幅を均等にすることで規則的なデザイン性を付与することもできる。
この場合、ウエール方向に連続するコース数を前記（Ａ）コース群と（Ｂ）コース群とで同一とし、前記連続するコース数を４〜６４コースとすることが好ましい。さらに、好ましくは、４〜１６コースである。
【００１２】
一方、前記のように、ウエール方向に連続するコース数を（Ａ）コース群と（Ｂ）コース群とで相違させることも可能であり、例えば、ヒップ周囲等、身体の動作に合わせて高い伸縮性が要求される部分には（Ａ）コース群のコース数を（Ｂ）コース群のコース数より多くしてフィット性を高める一方、ウエスト周りやレッグ部近傍では（Ｂ）コース群のコース数を（Ａ）コース群のコース数より多くし、上下縦方向および横方向の伸びを抑えてフィット性の向上と、ずり下がり防止に重点を置くようにすることも、快適な着用感を得るうえで好ましい態様である。
【００１３】
前記のように、ウエール方向に連続するコース数は前記（Ａ）コース群と（Ｂ）コース群とで相違させる場合には、前記（Ａ）コース群の連続コース数を１〜５００コースとし、（Ｂ）コース群の連続コース数を１〜６４コースとしていることが好ましい。さらに、（Ａ）コース群の連続コース数を４〜４００コースとし、（Ｂ）コース群の連続コース数を４    〜６０コースとしていることが好ましい。
【００１４】
前記弾性糸としてシングルカバリングヤーンまたはシングルカバリングヤーンとダブルカバリングヤーンを交編で用いると共に、前記非弾性糸としてウーリーナイロンを用い、前記ずり下がり防止部の各コースはプレーン編みで編成されていることが好ましい。
前記のように、（Ａ）コース群や（Ｂ）コース群において、弾性糸として弾性芯糸を備えたシングルカバリングヤーンを用いることにより伸縮性を高め、フィット性や締め付け力を高めることができると共に肌触りを良くすることができる。また、前記（Ｂ）コース群でモーレ糸として挿入する前記非弾性糸にウーリーナイロンを用いることにより、上下縦方向の伸びの抑制を容易に行うことができる。
また、前記のように、ずり下がり防止部の各コースをプレーン編みで編成することにより、フィット性や締め付け力を高めることができる。
【００１５】
前記弾性糸としては、１５デシテックス〜８０デシテックスのポリウレタン弾性芯糸に、ナイロン糸を巻き付けたシングルカバリングヤーンを用いることが好ましい。
ポリウレタン弾性芯糸の太さが１５デシテックス未満であると、伸縮力が弱くなり、フィット性や締め付け力が十分でなくなる場合がある一方、ポリウレタン弾性糸の太さが８０デシテックスを越えると、締め付け力が強すぎて着用感を損ねる場合がある。特に好ましくは、ポリウレタン弾性芯糸の太さが２０デシテックス〜５０デシテックスである。
また、（Ｂ）コース群においてモーレ糸として挿入する前記非弾性糸としては、１５デシテックス〜６０デシテックスのウーリーナイロンを用いることが好ましい。
ウーリーナイロンの太さが１５デシテックス未満であると、（Ｂ）コース群において適度に上下縦方向の伸びを抑制できず、ずり下がり防止効果を高めることができなくなる場合がある一方、ウーリーナイロンの太さが６０デシテックスを超えると、（Ｂ）コース群における上下縦方向および横方向の伸びが過剰に抑制され、フィット感がなくなり着用感が悪化する場合がある。
【００１６】
前記履き口部の編組織は、使用する編機の種類によっても異なるが、例えば、履き口部をシングルウエルトとした場合において、編み始めの止め編み領域は、弾性糸に添え糸を添えた編み糸から編成するコースと、非弾性糸に前記添え糸を添えた編み糸から編成するコースを交互に設けた複数のコースとし、前記非弾性糸に前記添え糸を添えた編み糸から編成する２コース目以降の１コース以上をニットのみで編成し、他のコースは１ウエールニットと1ウエールミスを繰り返して編成する一方、
前記止め編み領域に連続するウエルト編み領域では、前記弾性糸を用いて１ウエールニットと1ウエールミスまたは１ウエールニットと1ウエールタックを繰り返して編成するコースと、前記非弾性糸を用いてニットのみで編成するコースを交互に設けていることが好ましい。
しかし、前記履き口部の編組織は前記構成に限られず、例えば、前記止め編み領域において、弾性糸および非弾性糸に添える添え糸を必ずしも共通させなくてもよいし、また、前記ウエルト編み領域において添え糸を適宜使用することもできる。
【００１７】
前記のように、編み始めの止め編み領域において、弾性糸および非弾性糸に添え糸を添えた編み糸を用いて編成することにより、編み糸の繊度を増やし伸縮性を高めることができ、外側へ捲くれ上がるカールの発生を抑制できる。
また、非弾性糸に添え糸を添えた編み糸から編成する２コース目以降の１コース以上をニットのみからなるプレーン編組織で編成することで、編立やすく、強度を持たせることができる。
さらに、前記ニットのみからなるコース以外のコースを、１ウエールニットと1ウエールミスを繰り返して編成することにより、適度な伸縮性を保持させることができる。
【００１８】
前記１ウエールニットと1ウエールミスを繰り返して編成することにより、ニット、ミスの組織がストライプ状であっても、メッシュ状であってもどちらでもよいが、編立のしやすさから、ストライプ状となっていることが好ましい。
また、前記止め編み領域のコース数としては、４コース程度とすることが好ましい。
【００１９】
さらに、前記のように、前記止め編み領域に連続するウエルト編み領域では、前記止め編み領域より伸縮性が低い編み糸を用いているため、前記止め編み領域より締め付け力を低減でき、圧迫感を減少させて着用感を高めることができる。
また、前記弾性糸を用いて１ウエールニットと1ウエールミスまたは１ウエールニットと1ウエールタックを繰り返して編成するコースを設けることにより、表目の張力が高くなりすぎないようしてカールの発生を抑制しながら、適度な締め付け力を保持することができる。
さらに、前記非弾性糸を用いてニットのみからなるプレーン編組織で編成するコースを設けることにより、表目の張力が高まっても、前記ニットのみからなるコースは伸縮力の弱い編み糸で編成されるため、外側へのカールの発生を抑制しながら、適度な締め付け力も保持することができる。
【００２０】
前記弾性糸を用いて１ウエールニットと1ウエールミスまたは1ウエールニットと１ウエールタックを繰り返して編成することにより、ニット、ミスまたはニット、タックの組織がストライプ状であっても、メッシュ状であってもどちらでもよいが、外観上、ストライプ状となっていることが好ましい。
なお、ウエルト編み領域のコース数は、前記止め編み領域のコース数より多くしていることが好ましく、衣類の機能やデザインに応じてコース数を適宜増減してウエルト編み領域の長さを調節することができるが、例えば、１０コース以上、さらには２０〜８０コース程度が好ましい。
【００２１】
前記弾性糸として弾性芯糸を備えたシングルカバリングヤーンを用いると共に、前記非弾性糸としてウーリーナイロンを用い、さらに前記添え糸として前記弾性糸の弾性芯糸より細い弾性芯糸を備えたシングルカバリングヤーンを用いていることが好ましい。
【００２２】
特に、前記弾性糸として、３０デシテックス〜８０デシテックスのポリウレタン弾性芯糸に、ナイロン糸を巻き付けたシングルカバリングヤーンを用いると共に、前記非弾性糸として、３０デシテックス〜８０デシテックスのウーリーナイロンを用い、さらに前記添え糸として２０デシテックス〜４０デシテックスのポリウレタン弾性芯糸にナイロン糸を巻き付けたシングルカバリングヤーンを用いていることが好ましい。
【００２３】
また、前記履き口部の止め編み領域の編み組織として、各コースを、１ウエールタック、２ウエールミスまたは１ウエールタック、３ウエールミスを繰り返す編成としてもよい。
【００２４】
一方、使用する編機の種類によっては、前記履き口部の編み組織を以下のようにすることもできる。
即ち、編み始めの止め編み領域の複数コースは全てのウエールをタックあるいはミスでニットさせずに編成し、かつ、該止め編み領域では太い弾性芯糸を備えたシングルカバリングヤーンからなる第1種編み糸を用いて編成し、該第1種編み糸で止め編み領域に外側へのカールを発生させない編成としている一方、前記止め編み領域に連続するウエルト編み領域では、前記第1種編み糸で編成したコースと、前記第1種編み糸より伸縮力がない編み糸を用いて編成したコースを組み合わせた編組織としている。
【００２５】
前記のように、編み始めの止め編み領域では、どのウエールもニットすることなく複数コースを１つの編み糸で連続して編成しているため、編み糸として太い弾性芯糸を備えた伸縮力の強い第1種編み糸を用いても厚くならずに薄さを保持でき、カール発生を抑制しながら、適度な締め付け力を付与することができる。
【００２６】
一方、前記止め編み領域に連続するウエルト編み領域では、前記第1種編み糸で編成したコースを設けていることで、適度な締め付け力の付与が可能となり、さらに、第1種編み糸のみでなく、該第1種編み糸よりも伸縮力が弱い編み糸で編成したコースと併設することで、止め編み領域よりは低い締め付け力として、身体への圧迫感を減少することができ、より着心地の良いものとしている。
前記ウエルト編み領域のコース数は前記止め編み領域のコース数より多くしていることが好ましい。
【００２７】
具体的には、前記止め編み領域は、５〜９コースとし、各コースは１ウエールタック、２ウエールミスまたは１ウエールタック、３ウエールミスを繰り返して編成している。
前記構成によれば、選針を２本もしくは３本置きとすることで適度な締め付け力を付与できる。
【００２８】
前記ウエルト編み領域は、１ウエールタックと１〜３ウエールミスを繰り返すコースと、ニットのみからなるコースとからなり、該ニットのみからなるコースを２〜３コース連続した後に前記タックとミスとのコースを１コース介在させて編成し、前記タックとミスのコースは前記第１種編み糸を用い、ニットのみからなるコースは、前記第１種編み糸の弾性芯糸より細い弾性芯糸を備えたシングルカバリングヤーンあるいは／およびそれより伸縮力の低い編み糸からなる、第２種編み糸を用いて編成していることが望ましい。
【００２９】
前記のように、ウエルト編み領域は、伸縮力の弱い編み糸で編成したニットのみからなるコースを２〜３コース連続して設けることにより、止め編み領域よりも締め付け力を低減でき、圧迫感を減少させて着心地を高めることができる。また、シングルカバリングヤーンからなる第２種編み糸を用いて編成すると、肌触りを良くすることもできる。
この際、ニットのみからなるプレーン編組織によって表目の張力が高まっても、該ニットのみからなるコースは伸縮力が弱い編み糸で編成するため、外側へのカール発生を効果的に抑制することができると共に適度な締め付け力も保持できる。
なお、ウエルト編み領域のコース数は限定されず、衣類の機能やデザインに応じてコース数を増減してウエルト編み領域の長さを調整しているが、前記止め編み領域のコース数を多くし、例えば、２０コース以上、さらに５０コース以上、１００コース〜３００コースとしてもよい。
【００３０】
前記止め編み領域およびウエルト編み領域に用いる伸縮力の強い第１種編み糸のシングルカバリングヤーンとして、７０デシテックス〜２００デシテックスのポリウレタン弾性芯糸にナイロン糸を巻き付けた糸を用いていることが好ましい。
ポリウレタン弾性芯糸の太さが７０デシテックス未満であると、締め付け力が弱すぎてウエルト部分のカールしようとする力に負けてしまう場合がある。また、２００デシテックスを越えると、止め編み領域とウエルト編み領域とのバランスがとれず、締め付け力が強すぎ、着用感を損ねる場合がある。特に好ましくは、ポリウレタン弾性芯糸の太さが１００デシテックス〜１６０デシテックスである。
【００３１】
前記ウエルト編み領域のニットのみからなるプレーン編み組織で用いる第２種編み糸として、下記の（１）〜（３）の編み糸を１種あるいは複数種類を用いている。
（１）１０デシテックス〜４０デシテックスのポリウレタン弾性芯糸にナイロン糸を巻き付けたシングルカバリングヤーン
（２）ウーリーナイロン
（３）その他の複合糸
外観や機能の点から、（１）の編み糸のみ用いる場合、（１）の編み糸に代えて、（２）のウーリーナイロンや（３）を用いる場合がある。
【００３２】
前記（１）の第２種編み糸のシングルカバリングヤーンにおいて、ポリウレタン弾性芯糸の太さが１０デシテックス未満であると、ニットのみからなるプレーン編み組織を形成しても締め付け力が弱すぎて心地よい着用感が得られなくなる場合がある一方、ポリウレタン弾性芯糸の太さが４０デシテックスを越えるともはやパワーの弱い編み糸ではなくなり、締め付け力が強すぎて着用感が悪くなったり、表目の張力が大幅に増大して外側へのカールが発生してしまったりする場合がある。特に好ましくは、ポリウレタン弾性芯糸の太さが１５デシテックス〜２５デシテックスである。
前記（２）のウーリーナイロンを用いると伸びの調整ができると共に、外観と肌触りを向上させることができる。他の糸とのバランス上で１０〜８０デシテックスの太さのものを用いるのが好適である。
前記（３）の複合糸として、キュプラと６６ナイロンとの混紡糸を用いると、キュプラを混紡することで吸・放湿性を高めることができる。該混紡糸の混合割合はキュプラの吸・放湿性を損なわない４０〜９０デシテックスが好適に用いられる。
【００３３】
また、前記履き口部の止め編み領域の編み組織として、前記したような、弾性糸に添え糸を添えた編み糸から編成するコースと、非弾性糸に前記添え糸を添えた編み糸から編成するコースを交互に設けた複数のコースとし、前記非弾性糸に前記添え糸を添えた編み糸から編成する２コース目以降の１コース以上をニットのみで編成し、他のコースは１ウエールニットと1ウエールミスを繰り返して編成してもよい。
【００３４】
本発明は、シングルウエルトまたはダブルウエルトの端末編組織を有する履き口部と、ずり下がり防止部を備えた衣類を提供しており、特に、パンティストッキング、ショーツ、パンツ、ガードル、タイツ、ストッキング、スパッツ、ソックス等が好適であり、前記履き口部が着用時にウエスト位置にくるものだけでなく、着用時に腰骨位置にくるもの（ローライズタイプ）にも適用することができる。
【発明の効果】
【００３５】
前述したように、本発明によれば、シングルニットからなる端末編組織を有する履き口部を備えているので、履き口部を薄地かつ低い締め付け力としやすく、窮屈感を低減し外観にひびかないようにすることができる。
また、前記のように、弾性糸を用いて編成された（Ａ）コース群と、前記弾性糸に非弾性糸を添えた編み糸で編成された（Ｂ）コース群を交互に設けたずり下がり防止部を前記履き口部に連続して設ける構成とすることによって、ずり下がり防止部全体のフィット性を前記弾性糸によって向上させることができると共に、非弾性糸を前記弾性糸に添えた編み糸で編成された（Ｂ）コース群を、前記弾性糸を用いて編成された（Ａ）コース群との間に介在させることにより、ずり下がり要因となる上下縦方向の伸縮性を、添え糸である非弾性糸によって適度に抑制して、衣類のずり下がりを効果的に防止することができる。
【００３６】
さらに、前記（Ａ）コース群と前記（Ｂ）コース群を交互に設けて、前記ずり下がり防止部をボーダー柄としていることにより、ずり下がり防止効果に加えてデザイン性も同時に付与することができる。
【００３７】
また、履き口部をシングルウエルトとした場合に、前記のように、編み始めの止め編み領域において、弾性糸および非弾性糸に添え糸を添えた編み糸を用いて編成することにより、編み糸の繊度を増やし伸縮力を高めることができ、外側へ捲くれ上がるカールの発生を抑制できる。
また、非弾性糸に添え糸を添えた編み糸から編成する２コース目以降の１コース以上をニットのみからなるプレーン編組織で編成することで、編立やすく、強度を持たせることができる。さらに、前記ニットのみからなるコース以外のコースを、１ウエールニットと1ウエールミスを繰り返して編成することにより、適度な伸縮性を保持させることができる。
【００３８】
また、前記のように、前記止め編み領域に連続するウエルト編み領域では、前記止め編み領域より伸縮性が低い編み糸を用いているため、前記止め編み領域より締め付け力を低減でき、圧迫感を減少させて着用感を高めることができる。さらに、前記弾性糸を用いて１ウエールニットと1ウエールミスまたは１ウエールニットと1ウエールタックを繰り返して編成するコースを設けることにより、表目の張力が高くなりすぎないようしてカールの発生を抑制しながら、適度な締め付け力を保持することができ、また、前記非弾性糸を用いてニットのみからなるプレーン編組織で編成するコースを設けることにより、表目の張力が高まっても、前記ニットのみからなるコースは伸縮力の弱い編み糸で編成されるため、外側へのカールの発生を抑制しながら、適度な締め付け力も保持することができる。
【発明を実施するための最良の形態】
【００３９】
以下、本発明の実施形態を図面を参照して説明する。
図１（Ａ）、（Ｂ）は、第１実施形態において、シングルシリンダの４インチの４口丸編機で編成したパンティストッキング１０を示す。図中、上端が編み始め端となり、上端から履き口部１１を構成する止め編み領域１１ａとウエルト編み領域１１ｂを設け、さらにその下側に本体部であるパンティ部１２およびレッグ部１３を連続させている。本実施形態においては、パンティ部１２全体をずり下がり防止部１２としている。
なお、本実施形態のパンティストッキング１０は、履き口部１１が着用時にウエスト位置にくるようにしている。
【００４０】
図２および図３は、履き口部１１の止め編み領域１１ａおよびウエルト編み領域１１ｂの編み組織を示し、第１列目の針２０−１から第Ｎ列目の針２０−ｎの下に示す。（○）は針２０に給糸してニットしている場合、（×）は針２０に給糸せずに飛ばしてミスしている場合、（◎）は添え糸を添えた編み糸を針２０に給糸してニットしている場合を示す。
【００４１】
編み始めの止め編み領域１１ａにおいては、弾性糸として７８デシテックスのポリウレタン弾性芯糸に３３デシテックスのナイロン糸を巻き付けたシングルカバリングヤーンを用い、非弾性糸として５６デシテックスのウーリーナイロン、添え糸として３３デシテックスのポリウレタン弾性芯糸に３３デシテックスのナイロン糸を巻き付けたシングルカバリングヤーン２３を用いている。
シングルカバリングヤーンに添え糸のシングルカバリングヤーン２３を添えた編み糸２１ａを給糸口から連続供給して止め編み領域１１ａの第１コースＣ１と第３コースＣ３の２コースを編成している。また、ウーリーナイロンに添え糸のシングルカバリングヤーン２３を添えた編み糸２２ａを他の給糸口から連続供給して止め編み領域１１ａの第２コースＣ２と第４コースＣ４の２コースを編成している。本実施形態では、Ｃ１、Ｃ３、Ｃ４の３コースは、１ウエールニット→１ウエールミス→１ウエールニット→１ウエールミスを繰り返し、Ｃ２の１コースだけすべてのウエールでニットしている。
【００４２】
詳細には、第１コースＣ１は、図２および図３に示すように、第１列目の針２０−１にニット◎、第２列目の針２０−２はミス×、第３列目の針２０−３にニット◎、第４列目の針２０−４はミス×というように、１ウエールニット、１ウエールミスをシングルカバリングヤーンに添え糸のシングルカバリングヤーン２３を添えた編み糸２１ａで繰り返している。第３コースＣ３もＣ１と同様に１ウエール１ニット、１ウエール１ミスを前記編み糸２１ａで繰り返している。
一方、第２コースＣ２は、ウーリーナイロンに添え糸のシングルカバリングヤーン２３を添えた編み糸２２ａを用いてすべての針２０−１〜２０−ｎにニット◎とし、第４コースＣ４は、前記編み糸２２ａを用いて１ウエールニット、１ウエールミスを繰り返している。
図２、図３に示すように、Ｃ１、Ｃ３、Ｃ４の３コースは１ニット、１ミスを繰り返すことにより、ニット、ミスの組織がストライプ状となっている。
【００４３】
止め編み領域１１ａに連続するウエルト編み領域１１ｂのコースＣ５、Ｃ７、Ｃ９、Ｃ１１、Ｃ１３、Ｃ１５では、前記７８デシテックスのポリウレタン弾性芯糸に３３デシテックスのナイロン糸を巻き付けたシングルカバリングヤーン２１を給糸口から供給して１ウエールニット→１ウエールミス→１ウエールニット→１ウエールミスを繰り返している。
また、ウエルト編み領域１１ｂの他のコースＣ６、Ｃ８、Ｃ１０、Ｃ１２、Ｃ１４、Ｃ１６では、前記５６デシテックスのウーリーナイロン２２を他の給糸口から供給してすべてのウエールでニットしている。
【００４４】
詳細には、図２、図３に示すように、第５コースＣ５では第１列目の針２０−１にニット○、第２列目の針２０−２はミス×、第３列目の針２０−３にニット○、第４列目の針２０−４はミス×というように、１ウエールニット、１ウエールミスをシングルカバリングヤーン２１で繰り返している。
次に、第６コースＣ６では、ウーリーナイロン２２を用いてすべての針２０−１〜２０−ｎにニット○としている。
この後、１ウエールニットと１ウエールミスの第７コースＣ７、ニットのみからなる第８コースＣ８というように、シングルカバリングヤーン２１によるコースとウーリーナイロン２２によるコースを交互に繰り返している。
なお、ウエルト編み領域１１ｂの長さは所要長さとすることができるが、本実施形態においては３０コースとし、上下幅を１．７ｃｍとしている。
【００４５】
図４および図５は、ずり下がり防止部１２の編組織を示し、第１列目の針２０−１から第Ｎ列目の針２０−ｎの下に示す。前記したように、パンティ部１２全体（上下幅１８ｃｍ）をずり下がり防止部１２としている。（○）は針２０に給糸してニットしている場合、（◎）は添え糸（モーレ糸）を添えた編み糸を針２０に給糸してニットしている場合を示す。
【００４６】
前記履き口部１１の下側に連続させるずり下がり防止部１２は、弾性糸として３３デシテックスのポリウレタン弾性芯糸に３３デシテックスのナイロン糸を巻きつけたシングルカバリングヤーン２３を用いてプレーン編みで編成された（Ａ）コース群と、前記シングルカバリングヤーン２３に非弾性糸として３３デシテックスのウーリーナイロン２４を添えた編み糸２３ａを用いてプレーン編みで編成された（Ｂ）コース群を交互に設けた構成としている。
【００４７】
即ち、図４、５に示すように、ずり下がり防止部１２の第１コースＣ１から第８コースＣ８までの８コースでは、前記シングルカバリングヤーン２３を給糸口から連続供給してすべてのウエールでニットして、（Ａ）コース群を形成している。
続いて、第９コースＣ９から第１６コースＣ１６までの８コースでは、前記シングルカバリングヤーン２３にウーリーナイロン２４を添えた編み糸２３ａを給糸口から連続供給し、すべてのウエールでニットして（Ｂ）コース群を形成している。
【００４８】
詳細には、図４、図５に示すように、第１コースＣ１から第８コースＣ８までの８コースでは、シングルカバリングヤーン２３を用いてすべての針２０−１〜２０−ｎにニット○としている。
次に、第９コースＣ９から第１６コースＣ１６までの８コースでは、シングルカバリングヤーン２３にウーリーナイロン２４を添えた編み糸２３ａを用いてすべての針２０−１〜２０−ｎにニット◎としている。
続いて、第１７コースＣ１７から第２４コースＣ２４までの８コースを、前記Ｃ１〜Ｃ８の８コースと同様の（Ａ）コース群、第２５コースＣ２５から第３２コースＣ３２までの８コースを、前記Ｃ９〜Ｃ１６の８コースと同様の（Ｂ）コース群というパターンを繰り返し、パンティ部１２全体を（Ａ）コース群と（Ｂ）コース群の繰り返しで編成している。
【００４９】
前記のように、ずり下がり防止部１２には均等幅のボーダー柄が形成される。
また、ずり下がり防止部１２の締め付け力を履き口部１１の締め付け力より大としている。
続いて、ずり下がり防止部であるパンティ部１２の下側に、通常のレッグ部１３を連続させ、本実施形態のパンティストッキング１０を得ている。
【００５０】
前記のように、シングルニットからなるシングルウエルトの端末編組織を有する履き口部１１を備えているので、履き口部１１をソフトで薄くすることができ、窮屈感を低減し外観にひびかないようにすることができる。
また、前記のように、弾性糸（シングルカバリングヤーン２３）を用いて編成された（Ａ）コース群と、前記弾性糸（シングルカバリングヤーン２３）に非弾性糸（ウーリーナイロン２４）を添えた編み糸２３ａで編成された（Ｂ）コース群を交互に設けたずり下がり防止部１２を履き口部１１に連続して設ける構成とすることによって、ずり下がり防止部１２全体のフィット性を前記弾性糸（シングルカバリングヤーン２３）によって向上させることができると共に、ずり下がり要因となる上下縦方向の伸縮性を、添え糸である非弾性糸（ウーリーナイロン２４）によって適度に抑制して、衣類のずり下がりを効果的に防止することができる。
【００５１】
また、ずり下がり防止部１２の締め付け力を履き口部１１のウエルト編み領域１１ｂの締め付け力より大とすることにより、端末部分の肌触りをよりソフトにでき、端末部分が身体に食い込んで着用感を悪化させることもない。
【００５２】
さらに、前記（Ａ）コース群と前記（Ｂ）コース群を交互に設けて、前記ずり下がり防止部１２をボーダー柄としていることにより、ずり下がり防止効果に加えてデザイン性も同時に付与している。
【００５３】
また、前記のように、編み始めの止め編み領域１１ａにおいて、弾性糸（シングルカバリングヤーン２１）および非弾性糸（ウーリーナイロン２２）に添え糸（シングルカバリングヤーン２３）を添えた編み糸２１ａ、２２ａを用いて編成することにより、編み糸の繊度を増やし伸縮力を高めることができ、カールの発生を抑制できる。
また、非弾性糸（ウーリーナイロン２２）に添え糸（シングルカバリングヤーン２３）を添えた編み糸２２ａから編成する第２コースＣ２の１コースをニットのみからなるプレーン編組織で編成することで、編立やすく、強度を持たせることができる。さらに、前記ニットのみからなる1コース以外のコースＣ１、Ｃ３、Ｃ４を、１ウエールニットと1ウエールミスを繰り返して編成することにより、適度な伸縮性を保持させることができる。
【００５４】
また、前記のように、止め編み領域１１ａに連続するウエルト編み領域１１ｂでは、止め編み領域１１ａより伸縮性が低い編み糸を用いているため、止め編み領域１１ａより締め付け力を低減でき、圧迫感を減少させて着用感を高めることができる。
また、弾性糸（シングルカバリングヤーン２１）を用いて１ウエールニットと1ウエールミスを繰り返して編成するコースを設けることにより、表目の張力が高くなりすぎないようしてカールの発生を抑制しながら、適度な締め付け力を保持することができ、さらに、非弾性糸（ウーリーナイロン２２）を用いてニットのみからなるプレーン編組織で編成するコースを設けることにより、表目の張力が高まっても、前記ニットのみからなるコースは伸縮力の弱い編み糸２２で編成されるため、外側へのカールの発生を抑制しながら、適度な締め付け力も保持することができる。
【００５５】
図６(Ａ)、(Ｂ)は第２実施形態を示す。
第１実施形態との相違点は、履き口部１１が着用時に腰骨位置にくるローライズタイプとした点と、ずり下がり防止部１２のボーダー柄の幅を不均一とした点である。第２実施形態においても、第１実施形態と同様にパンティ部１２全体をずり下がり防止部１２としている。
【００５６】
ずり下がり防止部１２は、第１実施形態と同様に、弾性糸として３３デシテックスのポリウレタン弾性芯糸に３３デシテックスのナイロン糸を巻きつけたシングルカバリングヤーン２３を用いてプレーン編みで編成された（Ａ）コース群と、前記シングルカバリングヤーン２３に非弾性糸として３３デシテックスのウーリーナイロン２４を添えた編み糸２３ａを用いてプレーン編みで編成された（Ｂ）コース群を交互に設けた構成としているが、本実施形態においては、パンティ部１２のうち、身体の動作に合わせて特に高い伸縮性が要求される臀部周囲には（Ａ）コース群のコース数を（Ｂ）コース群のコース数より多くしてフィット性を高める一方、腰骨周りやレッグ部近傍では（Ｂ）コース群のコース数を（Ａ）コース群のコース数より多くして、締め付け力をさらに高めてずり下がり防止に重点を置く構成としている。
【００５７】
即ち、図６に示すように、パンティ部１２全体をずり下がり防止部とし、パンティ部１２上端より、（Ａ）コース群（１）→（Ｂ）コース群（１）→（Ａ）コース群（２）→（Ｂ）コース群（２）→（Ａ）コース群（３）→（Ｂ）コース群（３）→（Ａ）コース群（４）→（Ｂ）コース群（４）→（Ａ）コース群（５）→（Ｂ）コース群（５）→（Ａ）コース群（６）→（Ｂ）コース群（６）→（Ａ）コース群（７）→（Ｂ）コース群（７）→（Ａ）コース群（８）→（Ｂ）コース群（８）→（Ａ）コース群（９）→（Ｂ）コース群（９）→（Ａ）コース群(１０)→（Ｂ）コース群（１０）→（Ａ）コース群(１１)→（Ｂ）コース群(１１)→（Ａ）コース群(１２)→（Ｂ）コース群(１２)→（Ａ）コース群(１３)→（Ｂ）コース群(１３)→（Ａ）コース群(１４)→（Ｂ）コース群(１４)→（Ａ）コース群(１５)→（Ｂ）コース群(１５)→（Ａ）コース群(１６)→（Ｂ）コース群(１６)→（Ａ）コース群(１７)→（Ｂ）コース群(１７)→（Ａ）コース群(１８)→（Ｂ）コース群(１８)→（Ａ）コース群(１９)→（Ｂ）コース群(１９)→（Ａ）コース群（２０）→（Ｂ）コース群(２０)を設け、表１に示すように、（Ａ）、（Ｂ）各コース群のコース数を相違させている。
【００５８】
【表１】
2008038262.tif 000003
【００５９】
前記のように、ずり下がり防止部１２に不均一幅のボーダー柄を形成している。
また、第１実施形態同様、ずり下がり防止部１２の締め付け力を履き口部１１の締め付け力より大としている。
続いて、ずり下がり防止部であるパンティ部１２の下側に、通常のレッグ部１３を連続させ、本実施形態のパンティストッキング３０を得ている。
【００６０】
前記のように、臀部周囲［（Ａ）コース群（８）〜（Ｂ）コース群(１５)］では（Ａ）コース群のコース数を（Ｂ）コース群のコース数より多くしているため、身体の動作に合わせた優れたフィット感が得られる一方、腰骨周り［（Ａ）コース群（１）〜（Ｂ）コース群（５）］やレッグ部近傍［（Ａ）コース群(１８)〜（Ｂ）コース群(２０)］では（Ｂ）コース群のコース数を（Ａ）コース群のコース数より多くしているため、これらの部分で締め付け力がさらに高められ、フィット性が向上すると共にずり下がり防止効果も高めることができる。
【００６１】
図７は第３実施形態を示す。
第１実施形態との相違点は、履き口部１１の編組織を変えた点である。
編み始めの止め編み領域１１ａは、１３３デシテックスのポリウレタン弾性芯糸に３３デシテックスのナイロン糸を巻きつけたシングルカバリングヤーン２５からなる第１種編み糸を用いている。該シングルカバリングヤーン２５を給糸口から連続供給して第１コースＣ１から第８コースＣ８までの８コースを編成している。
止め編み領域１１ａの各コースは、１ウエールタック→３ウエールミス→１ウエールタック→３ウエールミスを繰り返している。
【００６２】
詳細には、第１コースＣ１は図６に示すように、第１列目の針２０−１にタック△、第２、第３、第４列目の針２０−２、２０−３、２０−４はミス×、第５列目の針２０−５にタック△、第６、第７、第８列目の針２０−６、２０−７、２０−８はミス×というように１ウエールタック、３ウエールミスを繰り返し、第２コースＣ２〜第８コースＣ８もＣ３と同様に１ウエールタック、３ウエールミスを繰り返している。
【００６３】
止め編み領域１１ａに連続するウエルト編み領域１１ｂのコースＣ９、Ｃ１３では、１３３デシテックスのポリウレタン弾性芯糸に３３デシテックスのナイロン糸を巻きつけたシングルカバリングヤーン２５からなる伸縮力の強い第１種編み糸を１つの給糸口から供給して１ウエールタック→３ウエールミス→１ウエールタック→３ウエールミスを繰り返している。
【００６４】
ウエルト編み領域１１ｂの他のコースＣ１０、Ｃ１１、Ｃ１２、Ｃ１４、Ｃ１５、Ｃ１６では２０デシテックスのポリウレタン弾性芯糸に３３デシテックスのナイロン糸を巻き付けたシングルカバリングヤーン２６からなる伸縮力の弱い第２種編み糸を他の給糸口から供給して全ての針でニットするコースを編成している。
【００６５】
詳細には、図７に示すように、第９コースＣ９では第１列目の針２０−１はタック△、第２、第３、第４列目の針２０−２、２０−３、２０−４はミス×、第５列目の針２０−５はタック△、第６、第７、第８列目の針２０−６、２０−７、２０−８はミス×というように、１ウエールタック、３ウエールミスをシングルカバリングヤーン２５で繰り返している。
次に、第１０コースＣ１０、第１１コースＣ１１および第１２コースＣ１２ではすべての針２０−１〜２０−ｎにニット○とし、前記伸縮力の弱いシングルカバリングヤーン２６で編成している。この連続した３コースの後に、Ｃ９と同一の１ウエールタックと３ウエールミスを繰り返す第１３コースＣ１３を介在させている。この後さらに、ニットのみからなる３コース、１ウエールタックと３ウエールミスを繰り返す１コースというパターンを繰り返している。
なお、ウエルト編み領域１１ｂの長さは所要長さとすることができるが、本実施形態においても第１実施形態と同様、３０コースとしている。
【００６６】
第３実施形態においても、シングルニットからなるシングルウエルトの端末編組織を有する履き口部１１を備えているので、履き口部１１をソフトで薄くすることができ、窮屈感を低減し外観にひびかないようにすることができる。
さらに、第１実施形態同様に、履き口部１１の下側に、ずり下がり防止部１２を設けることにより、締め付け力がソフトな前記端末編組織を有する履き口部１１を備えたパンティストッキング１０のずり下がりを効果的に防止することができる。
【００６７】
また、前記のように、止め編み部分１１ａにおいて、１つのコースで１ウエールタック、３ウエールミスを繰り返して編成し、太いポリウレタン弾性芯糸を備えたシングルカバリングヤーンからなる伸縮力の強い第１種編み糸２５で編成することにより、外側へのカール発生を抑制することができ、また、適度な締め付け力を付与することもできる。
【００６８】
さらに、前記のように、ウエルト編み領域１１ｂでは、伸縮力の弱い第２種編み糸２６でニットのみからなるコースＣ１０、Ｃ１１、Ｃ１２の３コース連続して設けた後に、伸縮力の強い第１種編み糸２５で編成した１ウエールタック、３ウエールミスを繰り返すコースＣ１３を１コース設け、続いて、前記第２種編み糸２６でニットのみからなるコースを３コースＣ１４、Ｃ１５、Ｃ１６連続させ、以下、これを繰り返すことで、止め編み領域１１ａよりは低い締め付け力として身体への圧迫感を減少して着用感を向上させることができると共に、外側へのカール発生を効果的に抑制することができる。かつ、ウエルト編み領域１１ｂも止め編み領域１１ａと同様にシングルカバリングヤーンからなる第１種編み糸２５、第２種編み糸２６のみで編成しているため肌触りも良くすることができる。
【００６９】
第４実施形態では、シングルニットからなるウエルト部分の編地を折り返してダブルウエルトの履き口部とした点以外は第１実施形態と同様の構成としている。ダブルウエルトの履き口部の非伸長時における上下縦方向の長さは０．５〜３ｃｍ（本実施形態においては０．５ｃｍ）とし、前記シングルニットからなるウエルト部分の編地の糸使いとしては、２０〜５０デシテックスのポリウレタン弾性芯糸に１０〜４０デシテックスのナイロン糸を巻き付けたシングルカバリングヤーン（本実施形態においては３３デシテックスのポリウレタン弾性芯糸に３３デシテックスのナイロン糸を巻き付けたシングルカバリングヤーン）と１０〜６０デシテックスのナイロン糸（本実施形態においては３３デシテックスのウーリーナイロン）の交編としている。しかし、前記のようなシングルカバリングヤーンとナイロン糸との交編のみならず、シングルカバリングヤーン同士の交編としてもよい。
【００７０】
前記のように、ダブルウエルトの履き口部とした場合でも、折り返すウエルト部分の編地をシングルニットとして薄地で締め付け力を弱めているため、窮屈感を低減し外観にひびかないようにすることができる。また、第１実施形態同様に、弾性糸を用いて編成された（Ａ）コース群と、前記弾性糸に非弾性糸を添えた編み糸で編成された（Ｂ）コース群を交互に設けたずり下がり防止部を履き口部に連続して設ける構成とすることによって、ずり下がり防止部全体のフィット性を前記弾性糸によって向上させることができると共に、ずり下がり要因となる上下縦方向の伸縮性を、添え糸である非弾性糸によって適度に抑制して、衣類のずり下がりを効果的に防止することができる。
【００７１】
図８は第５実施形態を示す。
図８は、シングルニットからなるシングルウエルトの端末編組織を有する履き口部４１と、均一幅のボーダー柄を設けたずり下がり防止部４２を備えたタイツ４０を示している。
【００７２】
図９は第６実施形態を示す。
図９は、シングルニットからなるシングルウエルトの端末編組織を有する履き口部５１と、均一幅のボーダー柄を設けたずり下がり防止部５２を備えたショーツ５０を示している。
【００７３】
図１０は第７実施形態を示す。
図１０は、シングルニットからなるシングルウエルトの端末編組織を有する履き口部６１と、均一幅のボーダー柄を設けたずり下がり防止部６２を備えたパンツ６０を示している。
【００７４】
図１１は第８実施形態を示す。
図１１は、シングルニットからなるシングルウエルトの端末編組織を有する履き口部７１と、均一幅のボーダー柄を設けたずり下がり防止部７２を備えたガードル７０を示している。
【００７５】
図１２は第９実施形態を示す。
図１２は、シングルニットからなるシングルウエルトの端末編組織を有する履き口部８１と、均一幅のボーダー柄を設けたずり下がり防止部８２を備えたストッキング８０を示している。
【００７６】
図１３は第１０実施形態を示す。
図１３は、シングルニットからなるシングルウエルトの端末編組織を有する履き口部９１と、均一幅のボーダー柄を設けたずり下がり防止部９２を備えたスパッツ９０を示している。
【００７７】
図１４は第１１実施形態を示す。
図１４は、シングルニットからなるシングルウエルトの端末編組織を有する履き口部１０１と、均一幅のボーダー柄を設けたずり下がり防止部１０２を備えたソックス１００を示している。
【００７８】
前記構成のタイツ４０、ショーツ５０、パンツ６０、ガードル７０、ストッキング８０、スパッツ９０、ソックス１００においても、シングルニットからなるシングルウエルトの端末編組織を有する履き口部４１、５１、６１、７１、８１、９１、１０１を備えているので、履き口部をソフトで薄くすることができ、窮屈感を低減し外観にひびかないようにすることができる。また、ボーダー柄のずり下がり防止部４２、５２、６２、７２、８２、９２、１０２を備えているため、ずり下がりも効果的に防止することができる。
【図面の簡単な説明】
【００７９】
【図１】（Ａ）は第１実施形態におけるパンティストッキングの概略図であり、（Ｂ）は要部拡大図である。
【図２】第１実施形態における履き口部の編組織の説明図である。
【図３】第１実施形態における履き口部の編組織を示す図面である。
【図４】第１実施形態におけるずり下がり防止部の編組織の説明図である。
【図５】第１実施形態におけるずり下がり防止部の編組織を示す図面である。
【図６】（Ａ）は第２実施形態におけるパンティストッキングの概略図であり、（Ｂ）は要部拡大図である。
【図７】第３実施形態における履き口部の編組織の説明図である。
【図８】第５実施形態におけるタイツの概略図である。
【図９】第６実施形態におけるショーツの概略図である。
【図１０】第７実施形態におけるパンツの概略図である。
【図１１】第８実施形態におけるガードルの概略図である。
【図１２】第９実施形態におけるストッキングの概略図である。
【図１３】第１０実施形態におけるスパッツの概略図である。
【図１４】第１１実施形態におけるソックスの概略図である。
【符号の説明】
【００８０】
１０、３０  パンティストッキング
１１、４１、５１、６１、７１、８１、９１、１０１  履き口部
１１ａ  止め編み領域
１１ｂ  ウエルト編み領域
１２、４２、５２、６２、７２、８２、９２、１０２  ずり下がり防止部
１３  レッグ部
２０−１〜２０−ｎ  針
２１、２３、２５、２６  シングルカバリングヤーン
２２、２４  ウーリーナイロン
４０  タイツ
５０  ショーツ
６０  パンツ
７０  ガードル
８０  ストッキング
９０  スパッツ
１００  ソックス
【図１】
2008038262.tif 000004
【図２】
2008038262.tif 000005
【図３】
2008038262.tif 000006
【図４】
2008038262.tif 000007
【図５】
2008038262.tif 000008
【図６】
2008038262.tif 000009
【図７】
2008038262.tif 000010
【図８】
2008038262.tif 000011
【図９】
2008038262.tif 000012
【図１０】
2008038262.tif 000013
【図１１】
2008038262.tif 000014
【図１２】
2008038262.tif 000015
【図１３】
2008038262.tif 000016
【図１４】
2008038262.tif 000017